(57)【要約】      （修正有）【課題】着用したまま授乳できる機能を有し、授乳しないときに着用者に授乳服と見られないデザイン性の優れた授乳用被服を提供する。【解決手段】少なくとも前側を覆う前部である前身頃２０と、後側を覆う後部である後身頃３０とを備えた授乳用被服１０において、前記前部と後部とは、前記授乳用被服の側部１１側で合わせ部７０が形成され、前記授乳用被服１０の側部１１側の合わせ部７０には、開口部７１が形成され、開口部７１は、前部と後部の合わせ部７０に沿って、乳房の位置に相当する部分を含めて上下方向範囲に形成され、開口部７１には、開口・閉塞手段である隠しスライドファスナー７２が形成されている。【選択図】図１
0003221051.tif 000002
【実用新案登録請求の範囲】
【請求項１】
少なくとも前側を覆う前部と、後側を覆う後部とを備えた授乳用被服において、
前記前部と後部とは、前記授乳用被服の側部側で合わせ部が形成され、
前記授乳用被服の側部側の合わせ部には、開口部が形成され、
前記開口部は、前記前部と前記後部の合わせ部に沿って、乳房の位置に相当する部分を含めて上下方向範囲に形成され、
前記開口部には、開口・閉塞手段が形成されていることを特徴とする授乳用被服。
【請求項２】
少なくとも前部と後部とを備えた授乳用被服において、
前記後部と前記前部とを重ね合わせたとき、前記後部の部分が前記前部の部分より巾が大きく形成され、
前記前部と前記後部とは、前記授乳用被服の側部側で合わせ部が形成されたとき、前記合わせ部が授乳用被服の前記前部の位置に形成され、
前記授乳用被服の側部側の合わせ部には、開口部が形成され、
前記開口部は、前記前部と前記後部の合わせ部に沿って、乳房の位置に相当する部分を含めて上下方向範囲に形成され、
前記開口部には、開口・閉塞手段が形成されていることを特徴とする授乳用被服。
【請求項３】
前記開口部及び開口・閉塞手段は、前記前部側において、左右対称に設けられていることを特徴とする請求項１に記載の授乳用被服。
【請求項４】
前記後部と前記前部との前記合わせ部が、前記前部側に３〜５ｃｍ、好ましくは３ｃｍずらして形成され、
前記開口部及び開口・閉塞手段は、前記合わせ部に形成されていることを特徴とする請求項１乃至３のいずれか一項に記載の授乳用被服。
【請求項５】
前記前部は前身頃であり、前記後部は後身頃であることを特徴とする請求項１乃至４のいずれか一項に記載の授乳用被服。
【請求項６】
前記開口・閉塞手段が上下摺動可能な隠しスライドファスナーであることを特徴とする請求項１乃至５のいずれか一項に記載の授乳用被服。
【考案の詳細な説明】
【技術分野】
【０００１】
本考案は、授乳用被服に係り、特に、通常の着衣状態では外観上何ら授乳用の被服であることを感じさせることなく、授乳時には随時授乳が可能な授乳用被服に関する。
【背景技術】
【０００２】
一般に、母親が乳児に授乳する際に、衣服を着用したまま授乳できるような授乳用衣服の提案がなされている。このような授乳用衣服は、衣服を着用したまま、乳房が出し易く、かつ、露出部を少なくするように、隠蔽機能のあるものが提案されている。また、近年では、カジュアルウェアのデザインに近い授乳服の提案もなされている。
【０００３】
例えば、前身頃における前襟ぐり部又は前襟ぐり部下方の左右から腰部又は脇腹の一部にかけて乳房上を跨ぐように開口部が形成されると共に、当該開口部には開口・閉塞手段が備えられている技術が提案されている（例えば、特許文献１、図１乃至４参照）。
【０００４】
また、上半身用下着の前身頃に、両カップ部が接離可能に連結されたブラジャー部が取り付けられた授乳服であって、前記前身頃のみぞおち下周辺から首もと中央縦方向に、下端側から上端側に順次開口するファスナーが配設されており、前記ファスナーが開口したとき、前記上半身用下着の前身頃の前記みぞおち下周辺から首もとの部分が開口し、前記両カップ部が露出する授乳口が形成されることを特徴とする授乳服も提案されている（例えば、特許文献２、図３及び図４参照）。
【先行技術文献】
【特許文献】
【０００５】
【特許文献１】特開２０１１−４７０９４号公報
【特許文献２】特許第５４５７５３３号公報
【考案の概要】
【考案が解決しようとする課題】
【０００６】
しかしながら、特許文献１及び特許文献２のいずれの授乳服も、授乳機能と、肌の露出を最少限にすることを主眼としており、授乳時以外に着用したときに、ファッション性及びデザイン性において、着用する者に、満足を与えるものではなかった。  
【０００７】
本考案は、着用したまま授乳できる機能を有し、授乳しないときに着用者に授乳服と見られないデザイン性の優れた授乳用被服を提供することにある。
【課題を解決するための手段】
【０００８】
前記課題は、本考案に係る授乳用被服によれば、少なくとも前側を覆う前部と、後側を覆う後部とを備えた授乳用被服において、前記前部と後部とは、前記授乳用被服の側部側で合わせ部が形成され、前記授乳用被服の側部側の合わせ部には、開口部が形成され、前記開口部は、前記前部と前記後部の合わせ部に沿って、乳房の位置に相当する部分を含めて上下方向範囲に形成され、前記開口部には、開口・閉塞手段が形成されていること、により解決される。
【０００９】
授乳用被服において、前部と後部との合わせ部に、開口部が形成されているので、授乳時においては、開口部から乳房を露出させ、授乳することができる。また前部と後部との合わせ部に開口部が形成されているために、通常着用時には目立たず、通常の被服と同様にデザイン性に富んだ被服とすることができる。そして、通常着用時において、授乳用被服と見られないデザインが可能となり、授乳時においては、開口部から乳房を露出させ、授乳することができる。
【００１０】
また前記課題は、本考案に係る授乳用被服によれば、少なくとも前部と後部とを備えた授乳用被服において、前記後部と前記前部とを重ね合わせたとき、前記後部の部分が前記前部の部分より巾が大きく形成され、前記前部と前記後部とは、前記授乳用被服の側部側で合わせ部が形成されたとき、前記合わせ部が授乳用被服の前記前部の位置に形成され、前記授乳用被服の側部側の合わせ部には、開口部が形成され、前記開口部は、前記前部と前記後部の合わせ部に沿って、乳房の位置に相当する部分を含めて上下方向範囲に形成され、前記開口部には、開口・閉塞手段が形成されていること、によって解決される。
【００１１】
このように構成されているので、通常の被服と同様にデザイン性に富んだ被服とすることができ、通常着用時において、授乳用被服と見られないデザインが可能となる。授乳時においては、前記後部の部分が前記前部の部分より巾が大きく形成されているため、合わせ部が授乳用被服の前部側の位置に形成されることになり、そこに形成された開口部が、授乳用被服の真横の合わせ部ではなく前部側にあるため、開口部から乳房を露出させることが、より容易になって、授乳しやすくすることができる。
【００１２】
このとき、前記開口部及び開口・閉塞手段は、前記前部側において、左右対称に設けられている、と好適である。左右対称に開口部及び開口・閉塞手段があるので、授乳時において、左右の開口部を開口・閉塞することができ、乳児に授乳するときに左右のいずれでも容易に選択することができる。
【００１３】
また、前記後部と前記前部との前記合わせ部が、前記前部側に３〜５ｃｍ、好ましくは３ｃｍずらして形成され、前記開口部及び開口・閉塞手段は、前記合わせ部に形成されていると好適である。
【００１４】
このように構成すると、後部と前部との合わせ部が、前部側にずらして形成されているので、開口・閉塞手段を操作しやすくなる。つまり、デザイン性を保ったまま、授乳するときに、開口部を開きやすくなり、授乳のために乳房を露見するために開口したり、閉塞したりするときに、操作がし易くなる。
【００１５】
このとき、前記前部は前身頃であり、前記後部は後身頃であると好適である。さらに、前記開口・閉塞手段が上下摺動可能な隠しスライドファスナーであるとより好適である。このように構成すると、スライドファスナーが露見せず、開口部が眼立たず、よりファッショナブルとなり、着用者が授乳用被服を着ていることが判らず、デザイン性に優れたものとすることができる。
【考案の効果】
【００１６】
本願考案に係る、授乳用被服によれば、後部と前部との合わせ部に開口部が形成されているので目立たず、通常の被服と同様にデザイン性に富んだ被服とすることができ、通常着用時において、授乳用被服と見られないデザインが可能となり、授乳時においては、開口部から乳房を露出させ、授乳することができる。
また左右対称に開口部及び開口・閉塞手段があるので、授乳時において、左右の開口部を開口・閉塞することができ、乳児に授乳するときに左右のいずれでも容易に選択することができる。つまり、屋内外で着用したまま随時、左右の乳房を開口部から露出させて左右交互に乳児に手早く授乳させることができる。
後部と前部との合わせ部が、前部側にずらして形成されることで、開口・閉塞手段を操作しやすくなる。後部と前部はそれぞれ後身頃と前身頃であると、後身頃と前身頃の接合部を合わせ部とすることが可能となる。
そして、デザイン性を保ったまま、授乳するときに、前部側に３〜５ｃｍ、好ましくは３ｃｍずらして形成されると、より開口部を開きやすくなり、授乳のために乳房を露見するために開口したり、閉塞したりするときに、操作がし易くなる。
またスライドファスナーが露見せず、開口部が眼立たず、よりファッショナブルとなり、着用者が授乳用被服を着ていることが判らず、デザイン性に優れたものとすることができる。
【図面の簡単な説明】
【００１７】
【図１】は、本考案に係る第１実施形態の前部側を示す授乳用被服の正面図である。
【図２】は、本考案に係る第１実施形態の後部側を示す授乳用被服の背面図である。
【図３】は、本考案に係る第２実施形態の前部側を示す授乳用被服の正面図である。
【図４】は、本考案に係る第２実施形態の後部側を示す授乳用被服の背面図である。
【考案を実施するための形態】
【００１８】
以下、本考案に係る、授乳用被服に関する実施形態について、図面を参照しながら説明する。図１及び図２は、本考案に係る第１実施形態を示すもので、図１は授乳用被服の正面図、図２は授乳用被服の背面図、図３及び図４は本考案に係る第２実施形態を示すもので、図３は授乳用被服の正面図、図４は授乳用被服の背面図である。
本実施形態の授乳用被服１０は、前部である前身頃２０と、後部である後身頃３０とを備えている。この授乳用被服１０は、前身頃２０と後身頃３０で着用者の着用時の前後方向を被覆できるように構成され、左右側に袖部（右袖及び左袖）４０、４０が設けられ、前身頃２０と後身頃３０の上部で、袖部４０，４０の間には、襟部５０が設けられている。
【００１９】
本実施形態では、これら左右の袖部４０，４０と襟部５０が着用者に頭部及び腕等が装着可能なように接合（縫合を含む）され、襟部５０は前身頃２０と後身頃３０の上部で、同じく着用者の身体をカバーできるように構成されている。また、前身頃２０と後身頃３０の下部には、裾部６０が設けられている。
【００２０】
本実施形態における袖部４０、襟部５０、裾部６０は、図示の例は一例であり、例えば袖部４０は七分袖を示しているが、半袖、長袖、タンクトップのような袖の無いものなど、デザインに合わせて種々構成することができるものである。また同様に、襟についても、襟を付ける場合には、図示の例のように丸首状の襟の他、Ｖ字状の襟、大きく開いた襟など、襟部についても服に合わせたデザインを選択することが可能である。なお符号８０は着用時に襟部５０を開閉可能なボタン類（スナップボタンを含む）であるが、ボタンに限らずフック等、着用時に首に対してやさしく接触しても痛くないものであれば、どのようなものであってもよい。
さらに裾部６０についても、裾部の自由端がスカート状に開放されたものとなっているが、これに限らず、自由端が開放されていないパンツ状（長短を含む）にしたり、キュロットにしたり、各種選択することができるものである。
【００２１】
本例の授乳用被服１０の少なくとも左右の側部１１において、接合（縫合を含む）できるように、前身頃２０と後身頃３０（即ち前部と後部）は、授乳用被服１０の側部において接合（縫合含む）をしており、この前身頃２０と後身頃３０の側部側で合わせ部７０が形成されている。なお、前身頃２０と後身頃３０は、それぞれ一枚ものである必要はなく、デザイン性を考慮して、複数の布材等を接合（縫合）して形成してもよいことは勿論である。要は外形形状（特に合わせ部７０）においての問題である。
【００２２】
本実施形態では、後身頃３０と前身頃２０とを重ね合わせたとき、図１及び図２で示すように、後身頃３０部分が前身頃２０部分より巾が大きく形成されている。具体的には巾方向において、真横から左右とも３〜５ｃｍ、好ましくは３ｃｍずらして形成し、はみ出すように形成されている。したがって、前身頃２０と後身頃３０とは、授乳用被服１０の側部側で合わせ部７０が形成されたとき、合わせ部７０の位置が、真横ではなく、授乳用被服１０の前身頃２０側の位置に３〜５ｃｍ、好ましくは３ｃｍシフトされた状態で形成されることになる。このずらした理由としては、デザイン性を確保し、合わせ部７０が目立たないばかりか、ここに形成される後述する開口部７１が開く動作と乳房の露出動作がし易く、授乳における乳児に対しより自然な授乳が可能となるからであり、３〜５ｃｍを外れると、デザイン選択の幅、外形がよくない状態となる。より好ましくは真横から前部に３ｃｍシフトさせたような合わせ部７０が、デザイン性、操作性において好適である。
つまり、本実施形態では、後身頃３０と前身頃２０との合わせ部７０が、授乳用被服１０の側部１１より、前身頃２０側に３〜５ｃｍ、好ましくは３ｃｍずらして形成されている。
【００２３】
そして、授乳用被服１０の側部側の合わせ部７０には、開口部７１が形成されている。
この開口部７１は、前身頃２０と後身頃３０の合わせ部７０に沿って、乳房の位置に相当する部分を含めて上下方向範囲に形成されている。この開口部７１には、開口・閉塞手段として、上下摺動可能な隠しスライドファスナー７２が取り付けられている。この開口部７１及び開口・閉塞手段である隠しスライドファスナー７２は、前身頃２０側において、左右対称に設けられている（右隠しスライドファスナー及び左隠しスライドファスナーは機能的に同じものである）。開口部７１は授乳時以外には隠しスライドファスナー７２で閉塞されている。
本実施形態では、合わせ部７０が授乳用被服１０の前身頃２０側の位置に形成されるため、開口部７１及び開口・閉塞手段である隠しスライドファスナー７２も前身頃２０側の位置に３〜５ｃｍずれて形成されることになり、授乳時に、より容易に乳房を露出させることができる。
【００２４】
以上のように、隠しスライドファスナー７２によって、開口・閉塞の部分が目立たなくなり、授乳用被服１０のデザインの幅が広がり、授乳用被服とは思えないデザインによって、授乳用被服を作成することが可能となる。符号７３はファスナーを操作するときの摘みである。なお上記実施形態においては、後身頃３０と前身頃２０は同色系統のものを使用しているが、デザイン性を考慮して、必ずしも同色系統ではなく、補色関係の色使い等もデザイン性を考慮して選択することが可能である。これにより、より授乳用被服の感じを払拭することが可能である。
【００２５】
図３及び図４は、本考案に係る他の実施形態である。本実施形態で上記実施形態と同様部材、配置等には同一符号を付してその説明を省略する。
前記実施形態では、後身頃３０と前身頃２０とを重ね合わせたとき、図１及び図２で示すように、後身頃３０部分が前身頃２０部分より巾が大きく形成されている例を示したが、本実施形態では、後身頃３０部分と前身頃２０部分が合わせ部７０において、同じ形状をしている。つまり、少なくとも合わせ部７０における外形が同じに形成され、授乳用被服１０の合わせ部７０及び開口部７１が真横に形成されていれば良い。
このように形成された本実施形態によれば、合わせ部７０において同じ形状であり、接合（縫合を含む）されているので、前記実施形態のように、前身頃２０側に、合わせ部７０及び開口部７１及び開口・閉塞手段である隠しスライドファスナー７２が位置せず、合わせ部７０及び開口部７１及び開口・閉塞手段である隠しスライドファスナー７２が真横にあるので、目立ちにくくデザイン性に富んだものとなる。
【符号の説明】
【００２６】
１０          授乳用被服
１１          授乳用被服の側部
２０          前身頃
３０          後身頃
４０          袖部
５０          襟部
６０          裾部
７０          合わせ部
７１          開口部
７２          隠しスライドファスナー
７３          摘み
８０          ボタン
【図１】
0003221051.tif 000003
【図２】
0003221051.tif 000004
【図３】
0003221051.tif 000005
【図４】
0003221051.tif 000006
【手続補正書】
【提出日】平成31年2月25日(2019.2.25)
【手続補正１】
【補正対象書類名】実用新案登録請求の範囲
【補正対象項目名】請求項４
【補正方法】変更
【補正の内容】
【請求項４】
前記後部と前記前部との前記合わせ部が、前記前部側に３〜５ｃｍずらして形成され、前記開口部及び開口・閉塞手段は、前記合わせ部に形成されていることを特徴とする請求項１乃至３のいずれか一項に記載の授乳用被服。
【手続補正２】
【補正対象書類名】明細書
【補正対象項目名】００１３
【補正方法】変更
【補正の内容】
【００１３】
また、前記後部と前記前部との前記合わせ部が、前記前部側に３〜５ｃｍずらして形成され、前記開口部及び開口・閉塞手段は、前記合わせ部に形成されていると好適である。
【手続補正３】
【補正対象書類名】明細書
【補正対象項目名】００１６
【補正方法】変更
【補正の内容】
【００１６】
本考案に係る、授乳用被服によれば、後部と前部との合わせ部に開口部が形成されているので目立たず、通常の被服と同様にデザイン性に富んだ被服とすることができ、通常着用時において、授乳用被服と見られないデザインが可能となり、授乳時においては、開口部から乳房を露出させ、授乳することができる。
また左右対称に開口部及び開口・閉塞手段があるので、授乳時において、左右の開口部を開口・閉塞することができ、乳児に授乳するときに左右のいずれでも容易に選択することができる。つまり、屋内外で着用したまま随時、左右の乳房を開口部から露出させて左右交互に乳児に手早く授乳させることができる。
後部と前部との合わせ部が、前部側にずらして形成されることで、開口・閉塞手段を操作しやすくなる。後部と前部はそれぞれ後身頃と前身頃であると、後身頃と前身頃の接合部を合わせ部とすることが可能となる。
そして、デザイン性を保ったまま、授乳するときに、前部側に３〜５ｃｍずらして形成されると、より開口部を開きやすくなり、授乳のために乳房を露見するために開口したり、閉塞したりするときに、操作がし易くなる。
またスライドファスナーが露見せず、開口部が眼立たず、よりファッショナブルとなり、着用者が授乳用被服を着ていることが判らず、デザイン性に優れたものとすることができる。